【手続補正書】
【提出日】平成17年11月9日(2005.11.9)
【手続補正１】
【補正対象書類名】明細書
【補正対象項目名】特許請求の範囲
【補正方法】変更
【補正の内容】
【特許請求の範囲】
【請求項１】  第１の処理システムと、通信ネットワークによりこの第１の処理システムに相互接続された第２の処理システムとの間で通信を維持する方法において、
命令の第１セットと命令の第２セットとを有するソフトウエアアプリケーションを記憶する段階を備え、前記の命令の第１セットは第１のアプリケーションタスクを実行させるものであり、前記の命令の第２セットは第１の処理システムから第２の処理システムへ第１のアップデート信号を転送させるようにするためのものであり、
第１のアプリケーションタスクを実行するため前記の命令の第１セットを初期化する段階を備え、
第１のタスクを実行するため前記の命令の第１セットが初期化されたことに応答して、前記の命令の第２セットを実行してそれにより第１の処理システムから第２の処理システムへ第１のアップデート信号を転送する段階を備え、
アップデート信号の転送に応答して第２の処理システムから命令のアップデートされた第１セットを受ける段階を備え、そして
この受け取られた命令のアップデートされた第１セットでソフトウエアアプリケーションに含まれる命令の第１セットをアップデートする段階を備える
ことを特徴とする方法。
【請求項２】  第１のアップデート信号は、命令の第２セットの現在記憶されたバージョンの識別を表している請求項１に記載の方法。
【請求項３】  第２の処理システムから入手できる情報を表す第２信号を、送信された第１信号に応答して、第２の処理システムから第１の処理システムへ送信する段階を更に備えた請求項１に記載の方法。
【請求項４】  第２の処理システムから入手できる情報は、命令の第１セットのアップグレードと命令の第１セットのアップグレード以外のものに関する情報のどちらかである請求項３に記載の方法。
【請求項５】  第２の処理システムから入手できる情報を要求するために第１の処理システムにコマンドを入力する段階、
前記の入手できる情報に対する要求を表す第３信号を、命令の第２セットに従って、前記の入力されたコマンドに応答して、第１の処理システムから第２の処理システムへ送信する段階、そして
前記の第３信号に応答して、前記の入手できる情報を第２の処理システムから第１の処理システムへ送信する段階
を更に備えた請求項３に記載の方法。
【請求項６】  第２信号は、前記の入手できる情報の記述を表し、そしてこの記述を第１の処理システムにおいて表示する段階を更に備える請求項３に記載の方法。
【請求項７】  前記の記述はテキストを含む請求項６に記載の方法。
【請求項８】  前記の記述を第１の処理システムにおいて周期的に表示する段階を更に備える請求項６に記載の方法。
【請求項９】  前記の記述は、選択された時間間隔で周期的に表示される請求項８に記載の方法。
【請求項１０】  前記の第２の信号は記号を表し、そしてその記号を第１処理システムにおいて表示する段階を更に備える請求項３に記載の方法。
【請求項１１】  第２の処理システムにおいて、第１の処理システムが処理システムの決まったグループ内にあるかどうか決定する段階を更に備え、
第１の処理システムがその決まったグループ内にあると決定された場合だけ第２の処理システムから第１の処理システムへ前記の第２の信号を送信する請求項３に記載の方法。
【請求項１２】  命令の第１セットに対するアップグレードの記述と他の情報の指示子の少なくともどちらか１つを第２の信号は含み、そして更に、アップグレードの記述と他の情報の指示子の少なくともどちらか１つを第１の処理システムにおいて表示する段階を備える請求項３に記載の方法。
【請求項１３】  ネットワークブラウザを第１の処理システムに記憶する段階、
ネットワークブラウザに従ってネットワーク上のウェブページを捜し出す段階、そして
その捜し出したウェブページを第１の処理システムにおいて表示する段階を更に備え、
前記のアップグレードの記述と他の情報の指示子の少なくともどちらか１つを第１の処理システムにおいてウェブページ内に表示する請求項１２に記載の方法。
【請求項１４】  前記の他の情報の指示子が表示され、そして
前記の他の情報を要求するために第１の処理システムにコマンドを入力する段階を更に備え、
その入力されたコマンドに応答して、前記の他の情報が第２の処理システムから第１の処理システムへ送信され、そして前記の指示子がディスプレイから除去される請求項１２に記載の方法。
【請求項１５】  第１の処理システムにネットワークブラウザを記憶する段階を更に備え、
第２の処理システムから第１の処理システムへ送信された他の情報をネットワークブラウザにロードする請求項１４に記載の方法。
【請求項１６】  第１の値と第２の値とを第１の処理システムに記憶する段階と、
これらの記憶された第１の値と第２の値の一方を第２の信号に応答して変更して、ディスプレイにおいて指示子を照らす段階とを更に備える請求項１４に記載の方法。
【請求項１７】  第１と第２の値は最初に等しい値にセットされる請求項１６に記載の方法。
【請求項１８】  第１と第２の値の１つは、それらの値が等しいか、もしくは等しくないかのどちらかになるように変更される請求項１６に記載の方法。
【請求項１９】  入力コマンドに応答して第１と第２の値の一方を更に変更し、それによって指示子をディスプレイから除去させる段階を更に備える請求項１６に記載の方法。
【請求項２０】  第１と第２の値の中の更に変更された一方の値を、それらの値が等しいか等しくないのどちらかとなるように変更する請求項１９に記載の方法。
【請求項２１】  命令の第１セットと命令の第２セットとを有するソフトウエアアプリケーションをアップグレードするための製造物であって、前記の命令の第１セットは第１のアプリケーションタスクを遂行させるためのものであり、そして前記の命令の第２セットは前記の命令の第１セットのためのアップグレードの探索を含んでいる製造物において、
コンピュータを読めるメディア；そして
このコンピュータを読めるメディアに記憶されたプロセッサ命令
を備え、これらのプロセッサ命令はプロセッサにより前記のコンピュータを読めるメディアから読めるようになっており、それによりプロセッサが、
命令の第１セットを実行し、
命令の第１セットの実行に応答して、命令の第２セットから命令の第１セットのためのアップグレードの位置を読み、
命令の第１セットのためのアップグレードの位置から命令の第１セットのためのアップグレードを受け取り、そして
命令の第１セットのためのアップグレードで命令の第１セットをアップグレードする
ことを特徴とした製造物。
【請求項２２】  命令の第１セットのためのアップグレードの位置はユニフォームリソースロケーターを含んでいる請求項２１に記載の製造物。
【請求項２３】  プロセッサ命令が、命令の第１セットのためのアップグレードにより命令の第１セットが読めないか、読めるかをプロセッサーが決定するよう作動させるようにした請求項２１に記載の製造物。
【請求項２４】  ソフトウエアのアプリケーションの命令の第２セットにリンクしたアイコンを発生し；そして
アイコンの選択に応答して、ソフトウエアのアプリケーションの命令の第２セットから命令の第１セットのためのアップグレードの位置を読む
ようにプロセッサ命令が更に構成されている請求項２１に記載の製造物。
【請求項２５】  第１の処理システムとこの第１の処理システムへ通信ネットワークにより相互接続された第２の処理システムとの間で通信を維持する処理システムにおいて、
メモリとプロセッサとを備え、
前記のメモリは命令の第１セットと命令の第２セットとを有するソフトウエアアプリケーションを記憶するように構成され、前記の命令の第１セットは第１のアプリケーションタスクを遂行させるためのもので、前記の命令の第２セットは前記の第１のプロセッサから前記の第２のプロセッサへ第１のアップデート信号を送るようにさせるものであり、
前記のプロセッサは、前記のソフトウエアアプリケーションを初期化し、このソフトウエアアプリケーションの初期化に応答して、そして前記の命令の第２セットに従って前記の第１の処理システムから前記の第２の処理システムへ第１のアップデート信号を発生し、そして第２の処理システムから命令のアップデートされた第１セットを受け、そして命令のその受けてアップデートされた第１セットから命令の第１セットをアップデートするように構成されたことを特徴とする処理システム。
【請求項２６】  前記の第１のアップデート信号は、記憶された命令の第２セットの現在バージョンの識別を更に表している請求項２５に記載のシステム。
【請求項２７】  前記のプロセッサは、前記の第２の処理システムから入手できる情報の指示を表す第２の信号を処理するように更に構成されている請求項２５に記載のシステム。
【請求項２８】  第２の処理システムから入手できる情報は、命令の第１セットのアップグレード以外のものに関する情報と命令の第１セットのアップグレードとの少なくともどちらか１つである請求項２７に記載のシステム。
【請求項２９】  第２の処理システムからの入手できる情報を要求しているユーザーのコマンドを受けるようになっている入力デバイスを更に備え、
前記のプロセッサは、入力コマンドに応答し、そして命令の第２セットに従って、入手できる情報を要求する第３の信号を第２の処理システムへ発生するように更に構成されている請求項２７に記載のシステム。
【請求項３０】  プロセッサは、第２の処理システムから入手できる情報を表す第４の信号を命令の第２セットに従って処理するように更に構成されている請求項２９に記載のシステム。
【請求項３１】  第２信号の処理に応答して入手できる情報の指示を表示すると共に、第４信号の処理に応答して入手できる情報の少なくとも一部分を表示するように構成されたディスプレイを更に備える請求項３０に記載のシステム。
【請求項３２】  入手できる情報の指示を表示するように構成されたディスプレイを更に備える請求項２７に記載のシステム。
【請求項３３】  第１のアップデート信号は、命令の第２セットの現在バージョンの識別を表し、そして
上記入手できる情報の指示は、命令の第１セットに対するアップグレードの特徴の記述を含む請求項２７に記載のシステム。
【請求項３４】  ディスプレイを更に備え、前記の記述はある時間間隔で周期的に表示される請求項３３に記載のシステム。
【請求項３５】  時間間隔を入力するように構成された入力デバイスを更に備える請求項３４に記載のシステム。
【請求項３６】  第２の処理システムから情報入手の可能性の指示は、命令の第１セットに対するアップグレードの記述とそのアップグレード以外の情報入手の可能性の指示子の少なくともどちらか１つを含み、そして
アップグレードの記述と指示子との少なくともどちらか１つを表示するように構成されたディスプレイを更に備える請求項２７に記載のシステム。
【請求項３７】  指示子は記号である請求項３６に記載のシステム。
【請求項３８】  メモリは、ネットワークブラウザを記憶するように更に構成され、
プロセッサはネットワークブラウザに従ってネットワーク上でウェブページを探索するように更に構成され、そして
ディスプレイは探索されたウェブページを表示するように更に構成され、アップグレードの記述と指示子の少なくともどちらか１つがその表示されたウェブページ内に表示される請求項３６に記載のシステム。
【請求項３９】  指示子により表された入手できる情報を要求するコマンドを入力するように構成された入力デバイスを更に備え、
前記の指示子は入力コマンドに応答してディスプレイから除去される請求項３６に記載のシステム。
【請求項４０】  前記のメモリは第１メモリであり、そして
第１の値と第２の値を記憶するように構成された第２のメモリを更に備え、入力コマンドに応答して第１の値と第２の値の中の一方の値が変更されて、指示子がディスプレイから除去されるようにする請求項３９に記載のシステム。
【請求項４１】  指示子により表された入手できる情報を要求するコマンドを入力するように構成された入力デバイスを更に備え、
プロセッサは更に、入力コマンドに応答しそして命令の第２セットに従って、第２の処理システムへ第３の信号を発生し、それにより前記の指示子により表された入手できる情報を要求すると共に、第４の信号を処理して、前記の指示子により表された入手できる情報から命令の第１のセットをアップデートする第４の信号を発生するよう構成された請求項３６に記載のシステム。
【請求項４２】  第１の処理システムと、通信ネットワークによりこの第１の処理システムに相互接続された第２の処理システムとの間で通信チャンネルを確立する方法において、
命令の第１セットと命令の第２セットとを有するソフトウエアアプリケーションを記憶する段階を備え、前記の命令の第１セットは第１のアプリケーションタスクを実行させるものであり、前記の命令の第２セットは第１の処理システムから第２の処理システムへ第１のアップデート信号を転送させるようにするためのものであり、
第１のアプリケーションタスクを実行するため前記の命令の第１セットを初期化する段階を備え、
第１のタスクを実行するため前記の命令の第１セットが初期化されたことに応答して、前記の命令の第２セットを実行し、それにより第１の処理システムから第２の処理システムへ第１のアップデート信号を転送する段階を備え、この第１のアップデート信号は第１の処理システムに関する第１のアップデート信号情報を含み、
この第１のアップデート信号に応答して第２のアップデート信号情報を第２のアップデート信号に入れることを決定し、
第２の処理システムから第１の処理システムへ第２のアップデート信号を送る段階を備え、
第２の処理システムから第２のアップデート信号を受ける段階を備え、こうして第１の処理システムと第２の処理システムとの間で通信チャンネルを確立し、そして
第２のアップデート信号から第１の処理システム上でのアクションを決定する段階を備えたことを特徴とする方法。
【請求項４３】  第１のアップデート信号の情報は、
第１の処理システム位置情報、第１の処理システムユーザー情報、
第１の処理システムソフトウエアバージョン状態情報、そして第１の処理システムハードウエアバージョン状態情報
の内の少なくとも１つを含んでいる請求項４２に記載の方法。
【請求項４４】  第１のアップデート信号情報の内の少なくともあるものを命令の第２のセットにより管理された第１の処理システム上の恒久メモリから得る請求項４２に記載の方法。
【請求項４５】  第２の信号アップデート情報はソフトウエアアプリケーションに関連のソフトウエアアップデートに係る請求項４２に記載の方法。
【請求項４６】  第２の信号情報は、第１のアップデート信号に含まれる情報に基づいて第１の処理システムのユーザーをターゲットとしたメッセージに係る請求項４２に記載の方法。
【請求項４７】  ユーザーをターゲットとしたメッセージは、第１の信号情報を使って第１の処理システムが所定グループの中の１つであると特定したときに基づいている請求項４６に記載の方法。
【請求項４８】  第１の処理システムのユーザーをターゲットとしたメッセージは、以前に表示されなかったと検証される請求項４６に記載の方法。
【請求項４９】  検証段階は第１の処理システムに記憶されたトークンと第２の処理システムから送られたトークンとを使い、第１の処理システムに記憶されたトークンと第２の処理システムから送られたトークンとが異なる値を持つとき、第１の処理システムのユーザーをターゲットとしたメッセージは以前に表示されなかったと検証し、そして
当該ターゲットとしたメッセージの処理は第１の処理システム上の第２の処理から送られたトークンを記憶することを含む請求項４８に記載の方法。
【請求項５０】  第１の処理システムから第２の処理システムへ第３のアップデート信号を送る段階を更に備え、この第３のアップデート信号はソフトウエアアプリケーションのための命令のアップデートされたセットを要求し、
この第３のアップデート信号の送信に応答して第２の処理システムから命令のアップデートされたセットを受け取る段階、そして
その受け取った命令のアップデートされたセットでソフトウエアアプリケーションをアップデートする段階
を備えた請求項４２に記載の方法。
【請求項５１】  第１の信号に直接応答せず、第２の処理システム上でのユーザーのアクションに応答して第２のアップデート信号を送る請求項４２に記載の方法。
【請求項５２】  第１の信号に直接応答せず、第２の処理システムにより決定される自動処理に応答して第２の信号を送る請求項４２に記載の方法。
【請求項５３】  ソフトウエアアプリケーションを記憶する段階がウエブブラウザソフトウエアプログラムの使用を含む請求項４２に記載の方法。